(57)【要約】【課題】背負いベルトの脱着操作性を確保しつつ、装着した状態においては、背のう部本体の背当て部の全体が使用者の背中に接触しやすくし、密着度を高めた良好な装着状態を確保する。【解決手段】内部に収納部を備えるとともに、前側に、使用者の背中に接して支持される背当て部を備えた背のう部本体と、使用者の左右の肩部に背のう部本体を背負わせるべく掛け回され、背当て部の上部にその上端部が支持され、背のう部本体の下部にその下端部側が支持される左右一対の各背負いベルトと、を備えてなる背のうにおける背負いベルトの取付構造であって、背負いベルトと背のう部本体との間、又は、背負いベルトに、背負いベルトと背当て部との間隔を伸縮可能とする弾性力を有する調整部が設けられ、調整部が有する弾性力によって、背負いベルトを背当て部に近づける。【選択図】図１
2019154917.tif 000002
【特許請求の範囲】
【請求項１】
内部に収納部を備えるとともに、前側に、使用者の背中に接して支持される背当て部を備えた背のう部本体と、
使用者の左右の肩部に前記背のう部本体を背負わせるべく掛け回され、前記背当て部の上部にその上端部が支持され、前記背のう部本体の下部にその下端部側が支持される左右一対の各背負いベルトと、を備えてなる背のうにおける背負いベルトの取付構造であって、
前記背負いベルトと前記背のう部本体との間、又は、前記背負いベルトに、前記背負いベルトと前記背当て部との間隔を伸縮可能とする弾性力を有する調整部が設けられ、
前記調整部が有する弾性力によって、前記背負いベルトを前記背当て部に近づけることを特徴とする背負いベルトの取り付け構造。
【請求項２】
前記調整部は前記背のう部本体の下部に設けられており、前記左右一対の背負いベルトの下端部がそれぞれ接合される一対の連結環と、前記一対の連結環を後側へ付勢する弾性力をそれぞれ有する一対の弾性体とを備える請求項１に記載の背負いベルトの取り付け構造。
【請求項３】
前記調整部は、前記一対の連結環の移動方向を規定する左右一対の案内経路を備え、前記左右一対の案内経路は、前側へ向かうほど互いの距離が広がるように形成されている請求項２に記載の背負いベルトの取り付け構造。
【請求項４】
前記調整部は、前記背負いベルトの途中に設けられ、前記背負いベルトの上端部から下端部への長さを伸縮可能とする弾性力を有する請求項１から請求項３のいずれか１項に記載の背負いベルトの取り付け構造。
【請求項５】
前記左右一対の各背負いベルトの上部を、左右方向に沿って互いに近づけるような弾性力を有する第２の調整部を備える請求項１から請求項４のいずれか１項に記載の背負いベルトの取り付け構造。
【請求項６】
前記第２の調整部は左右方向に伸縮可能な弾性体を有し、その両端部が、前記左右一対の各背負いベルトの上部にそれぞれ取り付けられている請求項５に記載の背負いベルトの取り付け構造。
【請求項７】
前記弾性体は、収縮しようとする弾性力を有するコイルばねである請求項２から請求項６のいずれか１項に記載の背負いベルトの取り付け構造。
【発明の詳細な説明】
【技術分野】
【０００１】
本発明は、ランドセル、リュックサックなど、使用者の背中に背負われる背のう部本体を、使用者の左右の肩部に背負わせるべく掛け回され、背のう部本体に支持され、取付けられる背のうにおける背負いベルトの取付構造に関する。
【背景技術】
【０００２】
ランドセル、リュックサックなどの背のうには、様々な形状や構造のものが存在するが、その多くは、使用者の背中に接して支持される背当て部を備えるとともに、使用者の背中に背負われて内部に収納部を備えてなる背のう部本体と、使用者の左右の肩部に該背のう部本体を背負わせるべく掛け回され、背のう部本体の背当て部上方にその上端部が支持され、背のう部本体の背当て部下方にその下端部側が支持される左右一対の各背負いベルトと、を備えている。
【０００３】
左右一対の各背負いベルトは、背のう部本体の背当て部の上側に備えられる連結体にその上端部が結合されており、一方、背のう部本体の背当て部の下方側に支持される下端側は、その長さを調整可能に連結される。
【０００４】
背負いベルトの中には、特許文献１や特許文献２に示すように、背のう部本体の背当て部の上側に備えられる連結体にその上端部を結合してなる上ベルトと、背のう部本体の背当て部の下方側に支持され、該下方側から延びる下ベルトとにより構成され、上ベルトの下端と下ベルトの上端とは掛け回す肩部のサイズに対応し、その結合位置を可変にし、長さ調整可能に相互に連結可能とされたものがある。こうした構成からなる背負いベルトは、上ベルトの下端と、下ベルトの上端との連結を、上ベルトの下端あるいは下ベルトの上端のいずれかに他のベルトの端部を挿通可能とするバックル状の連結環を支持させ、この連結環が支持されたベルトに対する他方のベルトの端部にはその長さ方向において所定間隔をもって複数の止着孔を穿設し、他方のベルトを連結環に挿通させて連結環に支持される止着針を任意の長さ位置にある止着孔に止着して行うようにしている。これにより連結環に挿通される他のベルトの端部の連結環に対する止着結合位置を可変にし、上下のベルトを長さ調整可能に相互に連結させることを可能にしている。
【先行技術文献】
【特許文献】
【０００５】
【特許文献１】実用新案登録３１３３３９９号公報
【特許文献２】特開２００８−５４９４０号公報
【発明の概要】
【発明が解決しようとする課題】
【０００６】
背のうにおいて、背負いベルトの全体長さが長くなると、背当て部の上方位置が人の背中から離れる方向の力が作用しやすくなる。この現象は背のう部本体の収納部内に高荷重の物を収納したり、また収納部の底の方に重い物を収納させる場合に顕著に現れやすい。このため、背負いベルトの全体長さをできる限り短く設定して、背のう部本体の背当て部全体が使用者の背中に密着状態で接するようにすることが好ましい。
【０００７】
上記各特許文献１に記載のランドセルや特許文献２に記載の背負い鞄で使用される従来の背負いベルトは、上ベルトの下端と下ベルトの上端との止着結合位置を調整することで、背のう部本体に対する背負いベルトの全体長さを可変に調整することを可能としているが、いったん背のうを背負った後には、上ベルトと下ベルトの結合位置を変更して長さ調整を行うことは難しかった。このため、背のう部本体を背負う際に、使用者の肩部に対する背負いベルトの掛け回し操作を容易にするために背負いベルトを長めに設定すると、背負った後に長さを調整することができないことから、使用者の背中に対する密着性の確保が難しくなるという問題があった。
【０００８】
本発明は、こうした従来の不具合に着目してなされたものであり、ランドセル、リュックサックなどの背のうにあって、背のう部本体を使用者が背中に背負ったり、使用者が背中から離脱させる場合における背負いベルトの脱着操作性を確保しつつ、装着した状態においては、背のう部本体の背当て部の全体が使用者の背中に接触しやすくし、密着度を高めた良好な装着状態を確保できるように構成することを目的としている。
【課題を解決するための手段】
【０００９】
上記課題を解決するために、本発明の背負いベルトの取り付け構造は、内部に収納部を備えるとともに、前側に、使用者の背中に接して支持される背当て部を備えた背のう部本体と、使用者の左右の肩部に背のう部本体を背負わせるべく掛け回され、背当て部の上部にその上端部が支持され、背のう部本体の下部にその下端部側が支持される左右一対の各背負いベルトと、を備えてなる背のうにおける背負いベルトの取付構造であって、背負いベルトと背のう部本体との間、又は、背負いベルトに、背負いベルトと背当て部との間隔を伸縮可能とする弾性力を有する調整部が設けられ、調整部が有する弾性力によって背負いベルトを背当て部に近づけることを特徴としている。
【００１０】
本発明の背負いベルトの取り付け構造において、調整部は背のう部本体の下部に設けられており、左右一対の背負いベルトの下端部がそれぞれ接合される一対の連結環と、一対の連結環を後側へ付勢する弾性力をそれぞれ有する一対の弾性体とを備えることが好ましい。
【００１１】
本発明の背負いベルトの取り付け構造において、調整部は、一対の連結環の移動方向を規定する左右一対の案内経路を備え、左右一対の案内経路は、前側へ向かうほど互いの距離が広がるように形成されていることが好ましい。
【００１２】
本発明の背負いベルトの取り付け構造において、調整部は、背負いベルトの途中に設けられ、背負いベルトの上端部から下端部への長さを伸縮可能とする弾性力を有すことが好ましい。
【００１３】
本発明の背負いベルトの取り付け構造において、左右一対の各背負いベルトの上部を、左右方向に沿って互いに近づけるような弾性力を有する第２の調整部を備えることが好ましい。
【００１４】
本発明の背負いベルトの取り付け構造において、第２の調整部は左右方向に伸縮可能な弾性体を有し、その両端部が、左右一対の各背負いベルトの上部にそれぞれ取り付けられていることが好ましい。
【００１５】
本発明の背負いベルトの取り付け構造において、弾性体は、収縮しようとする弾性力を有するコイルばねであることが好ましい。
【発明の効果】
【００１６】
本発明によれば、ランドセル、リュックサックなどの背のうにあって、背のう部本体を使用者の背中に背負ったり、使用者の背中から離脱させる場合における背負いベルトの脱着操作性の向上を図り、背のう部本体の背当て部の全体が使用者の背中に接触しやすくし、密着度を高めた良好な装着状態を確保することが可能となる。
【図面の簡単な説明】
【００１７】
【図１】本発明の第１実施形態に係る背負いベルトの取り付け構造を備えたランドセルの全体斜視図である。
【図２】図１に示すランドセルの底面図である。
【図３】（ａ）は図１に示すランドセルにおける調整部の平面図、（ｂ）は（ａ）に示す調整部の上カバーを取って内部構成を示す平面図である。
【図４】図１に示すランドセルを背負った状態を示す側面図である。
【図５】第２実施形態に係る背負いベルトの取り付け構造を備えたリュックサックの正面図である。
【図６】第２実施形態の変形例に係る背負いベルトの取り付け構造を備えたリュックサックの正面図である。
【発明を実施するための形態】
【００１８】
以下、本発明の実施形態に係る背負いベルトの取付構造について図面を参照しつつ説明する。以下の説明においては、ランドセルに適用した例を挙げるが、本発明の背負いベルトの取付構造は、ランドセルに限定されず、例えばリュックサックその他の背負い鞄（背のう）も対象としている。
＜第１実施形態＞
図１は、第１実施形態に係る背負いベルトの取り付け構造を備えたランドセル１１の全体斜視図である。図２は、図１に示すランドセル１１の底面図である。図３（ａ）は図１に示すランドセル１１における調整部の平面図、（ｂ）は（ａ）に示す調整部の上カバーを取って内部構成を示す平面図である。図４は、図１に示すランドセル１１を背負った状態を示す側面図である。図２は、背負いベルト１７を前へ引いた状態を示している。図３（ｂ）は背負いベルト１７に力を加えていない状態を示している。
以下の説明において、ランドセル１１の背当て部１３側（図２の下側）を前方、蓋板１６側（図２の上側）を後方、図２における左右を左右方向、とそれぞれ称する。
【００１９】
背のうとしてのランドセル１１は背のう部本体１５を有し、この背のう部本体１５は、図４で実線で示すように使用者１２の背中１２ａに密着状態で接し、支持する平板状の背当て部１３と、使用者１２の背中１２ａに背負われて内部に収納部１４とを備える。
【００２０】
全体として箱状をなす背のう部本体１５は、蓋板１６を図１の矢印Ａ方向に開くことで内部の収納部１４を上部に開口することを可能とし、収納部１４内に教科書や学用品などを収納可能にしている。ランドセル１１は、左右一対の各背負いベルト１７を備え、これらの背負いベルト１７は、使用者１２の左右の肩部に背のう部本体１５を背負わせるべく掛け回され、背のう部本体１５の背当て部１３の上方にその上端部が支持され、背のう部本体１５の背当て部１３の下端部側で支持される。
【００２１】
左右の各背負いベルト１７は、背のう部本体１５の背当て部１３の上側に備えられる連結体１９にその上端部を結着してなる上ベルト１７Ａと、背のう部本体１５の背当て部１３の下部に下端部が支持される下ベルト１７Ｂとからなる。上ベルト１７Ａと下ベルト１７Ｂとは、掛け回す使用者１２の肩部のサイズに対応し、その結合位置を可変にし、長さ調整可能に相互に連結可能とされる。
【００２２】
上ベルト１７Ａは、上述のように背のう部本体１５の背当て部１３の上側に配設され、支持される連結体１９に、その上端部が連結されて結合してなる。左右に備えられる各連結体１９は背当て部１３の上側中心を基準としてそれぞれ前方に向くように備えられる。
【００２３】
上ベルト１７Ａの下端と下ベルト１７Ｂの上端との連結は、下ベルト１７Ｂの上端に支持されるバックル状の連結環２０に、上ベルト１７Ａの下端側を挿通させ、上ベルト１７Ａの下端側における任意の長さ位置を連結環２０に止着し、結合することにより行うようにしている。
【００２４】
連結環２０には止着針２１が支持されており、また、上ベルト１７Ａの下端側には、その長さ方向において所定間隔をもって止着孔２２が複数穿設されている。連結環２０の止着針２１を、上ベルト１７Ａの任意の位置の止着孔２２に止着することにより、連結環２０に挿通される上ベルト１７Ａの下端部の連結環２０に対する止着結合位置を可変にしている。このような結合により、上下のベルト１７Ａ、１７Ｂを長さ調整可能に相互に連結させることが可能となり、背負いベルト１７の全体の長さを使用者１２の肩部のサイズに合わせて調整することが可能となる。
【００２５】
図２に示すように、蓋板１６の下端からは引張帯２３が延びており、この引張帯２３の先端には、尾錠２４の雌部２４ｂが設けられている。一方、収納部１４の底部には、尾錠２４の雄部２４ａが回転可能に取り付けられている。この尾錠２４の雄部２４ａに対して上記雌部２４ｂは着脱自在であり、雌部２４ｂが装着されたときの雄部２４ａの回転位置によって、蓋板１６は、尾錠２４によって固定されて閉じた状態と、尾錠２４から離間可能となって開くことができる状態とが選択可能となる。
【００２６】
図２に示すように、背のう部本体１５の底面１５ａにおいて、尾錠２４の左右両側には一対の調整部３０が設けられている。各調整部３０は、連結環３３の移動方向を規定する案内経路としての案内孔３２が設けられた固定板３１を備える。固定板３１を構成する材料は、ばね３６の弾性力や連結環３３の移動に対する耐久性・剛性、ランドセル１１全体の重量や重量バランスなどを鑑みて選択することが好ましく、例えばアルミニウムなどの軽量の金属で構成するとよい。
【００２７】
左右一対の調整部３０は、それぞれに設けられた案内孔３２が、前側、すなわち背当て部１３側へ向かうほど互いの距離が広がるようなハの字状となるように設けられている。別言すると、一対の固定板３１は、左右方向において、それぞれの前側の側面３１ａ間の距離の方が、それぞれの後側の側面３１ｂ間の距離よりも大きくなるように配置されている。
【００２８】
上記左右の背負いベルト１７の下端部、別言すると下ベルト１７Ｂの下端部には、連結環３３がそれぞれ接合されている。連結環３３は案内孔３２の幅よりも大きな外径を有しており、背のう部本体１５の外側であって、固定板３１の下側に配置される。連結環３３を構成する材料は、ばね３６の弾性力に抗して移動させることに対する耐久性・剛性や、ランドセル１１全体の重量や重量バランスを考慮して選定することが好ましく、例えば、アルミニウムなどの軽量の金属や硬性の樹脂で構成するとよい。
【００２９】
連結環３３からは軸部３４が延びており、この軸部３４は、固定板３１を厚み方向に上向きに貫くように、案内孔３２に挿通され、その先端部（上端部）には案内孔３２の幅よりも大きな平面形状を有する止め板３５が固定されている。止め板３５は固定板３１の上側に配置されている。これにより、連結環３３は、案内孔３２から外れることなく、かつ、案内孔３２が延びる方向に沿って移動可能とされる。
【００３０】
図３（ｂ）に示すように、止め板３５に固定された軸部３４の先端には、弾性体としてのばね３６の一端が固定されており、このばね３６の他端は固定板３１に固定されている。このばね３６はコイルばねである。
【００３１】
背負いベルト１７からの力が加わっていない状態においては、ばね３６が収縮しようとする弾性力により、止め板３５は、案内孔３２において、最も後側（後側の側面３１ｂ側）に位置する。したがって、軸部３４を介して止め板３５と一体化されている連結環３３に対しても、後側へ付勢するばね３６の弾性力が働き、これによって固定板３１の後側の側面３１ｂ側に位置する。
【００３２】
これに対して、使用者１２がランドセル１１を背負うために背負いベルト１７を操作すると、その操作力に応じてばね３６が伸張し、案内孔３２において、一体となった止め板３５と連結環３３が前側の側面３１ａ側へ移動する。したがって、ばね３６の弾性力によって、背負いベルト１７と背のう部本体１５との間隔が伸縮可能となる。
【００３３】
例えば、使用者１２が、その背中１２ａに背当て部１３を当てた状態で、背負いベルト１７を前方に引くと、これにしたがって、ばね３６の弾性力に逆らって連結環３３と止め板３５が前側へ移動する。これによって、使用者１２は、左右の背負いベルト１７の位置を調整することができる。よって、使用者１２は、背負いベルト１７と背のう部本体１５との間に所望の間隔を形成できるため、ランドセル１１を容易に背負うことができる（図４において破線で示す状態）。
【００３４】
一方、背負いベルト１７を前方に引く力を解除すると、ばね３６の弾性力によって連結環３３と止め板３５が後側へ移動するため、背負いベルト１７を使用者１２の胸１２ｂに密着させることができ、使用者１２の背中１２ａと背当て部１３の密着度を高めることが可能となる（図４で実線で示す状態）。
【００３５】
さらに、ランドセル１１を背負った使用者１２が背負いベルト１７を前方に引くと、ばね３６の弾性力に逆らって連結環３３と止め板３５が前方に移動するため、背負いベルト１７と使用者１２の胸１２ｂとの間に所望の間隔を形成できることから、背負いベルト１７を使用者１２の肩から容易に外すことが可能となる。
【００３６】
また、固定板３１及び案内孔３２が前側へ向かうほど広がるハの字状に形成されていることから、使用者１２の肩からの背負いベルト１７の脱離がさらに容易となる。
【００３７】
なお、上述の構成においては、調整部３０に、コイルばねであるばね３６を用いていたが、連結環３３を後側へ付勢することができれば、ばね３６以外の弾性体、例えばゴム材や、プラスチック材や、コイルばね以外の形態のばねを用いることもできる。
また、上述の第１実施形態の背負いベルトの取付構造は、ランドセル以外のリュックサックその他の背負い鞄にも適用可能である。
【００３８】
＜第２実施形態＞
図５は、第２実施形態に係る背負いベルトの取り付け構造を備えたリュックサック４１の正面図である。
背のうとしてのリュックサック４１は、上述のランドセル１１と同様に、背のう部本体４５を有し、この背のう部本体４５は、使用者１２の背中１２ａに密着状態で接し、支持する平板状の背当て部４３と、使用者１２の背中１２ａに背負われて内部に収納部４４とを備える。背のう部本体４５は、上部が開口可能な袋状をなしており、収納部４４内に書籍などを収納可能にしている。
【００３９】
リュックサック４１は、左右一対の背負いベルト４７を備え、これらの背負いベルト４７は、使用者１２の左右の肩部に背のう部本体４５を背負わせるべく掛け回される。背負いベルト４７は、背のう部本体４５の背当て部４３の上部に対して、縫い付け、接着等により、その上端部４７Ｃが固定されている。
【００４０】
左右の各背負いベルト４７は、上端部４７Ｃが背のう部本体４５の背当て部４３の上部に固定される上ベルト４７Ａと、背のう部本体４５の背当て部４３の下部に下端部が固定される下ベルト４７Ｂとを備える。
【００４１】
背負いベルト４７の上ベルト４７Ａと下ベルト４７Ｂは、調整部５０を介して互いに連結されている。すなわち、背負いベルト４７の途中に調整部５０が配置されている。調整部５０は、弾性体としての３本のコイルばねによって構成される。これらのコイルばねは、一方の端部が上ベルト４７Ａの下部に固定され、他方の端部が下ベルト４７Ｂの上部に固定されており、その長さを収縮させようとする弾性力によって背負いベルト４７の全体長さを伸縮可能としている。これにより、調整部５０のコイルばねの弾性力により、背負いベルト４７と背当て部４３との間隔を伸縮可能となる。
【００４２】
なお、調整部５０を構成するコイルばねの数は３本未満や、４本以上であってもよい。また、背負いベルト４７の全体長さを変更可能にできれば、コイルばね以外の弾性体、例えばゴム材や、プラスチック材や、コイルばね以外の形態のばねを用いることもできる。
また、下ベルト４７Ｂを設けずに、調整部５０のコイルばねの他方の端部を背当て部４３の下部に直接固定する構成も可能である。
【００４３】
調整部を構成するコイルばねは、それぞれが管状のカバー材で覆われている。このため、互いが絡むことがなく伸縮可能となる。カバー材を構成する材料は、リュックサック４１の脱着時の背負いベルト４７の動きに応じたコイルばねの変形に追随できるように軟性の材料、例えば、軟質の塩化ビニルを用いるとよい。
また、３本のコイルばねが全体としてカバー材に覆われる構成でもよい。
【００４４】
以上の構成のリュックサック４１においては、調整部５０のコイルばねが収縮しようとする弾性力により、背負いベルト４７にかかる力の大きさに応じて上ベルト４７Ａと下ベルト４７Ｂの間隔が伸縮自在となり、ひいては背負いベルト４７の全体長さを自在に変更可能となる。これにより、背負いベルト４７と背のう部本体４５との間隔も変更自在となる。
【００４５】
したがって、例えば、使用者１２が、その背中１２ａに背当て部４３を当てた状態で、背負いベルト４７を前方に引くと、これにしたがって、調整部５０のコイルばねの弾性力に逆らって調整部５０が伸張し、背負いベルト４７と背のう部本体４５との間隔が広がる。一方、背負いベルト４７を前方に引く力を解除すると、調整部５０のコイルばねの弾性力によって上ベルト４７Ａと下ベルト４７Ｂの間隔が短くなって背負いベルト４７の全体長さも短くなる。これにより、背負いベルト４７を使用者１２の胸１２ｂに密着させることができ、使用者１２の背中１２ａと背当て部４３の密着度を高めることが可能となる。さらに、リュックサック４１を背負った使用者１２が背負いベルト４７を前方に引くと、調整部５０のコイルばねが伸びるため、背負いベルト４７と使用者１２の胸１２ｂとの間に所望の間隔を形成でき、これによって、背負いベルト４７を使用者１２の肩から容易に外すことが可能となる。
なお、その他の作用、効果、変形例は第１実施形態と同様である。
また、第２実施形態の背負いベルトの取付構造は、リュックサック以外の背負い鞄、例えばランドセルにも適用可能である。
【００４６】
図６は、第２実施形態の変形例に係る背負いベルトの取り付け構造を備えたリュックサックの正面図である。この変形例におけるリュックサックは、図５に示すリュックサック４１の構成に加えて、左右一対の各背負いベルト４７の上部を、左右方向に沿って互いに近づけるような弾性力を有する第２の調整部５１を備える。
【００４７】
第２の調整部５１は、弾性体としての３本のコイルばねによって構成され、管状のカバー材で覆われている。これらのコイルばねやカバー材の構成、材料、変形例等は上述の調整部５０のコイルばね及びカバー材と同様である。図６に示すように、第２の調整部５１は、背当て部４３には固定されていないが、左側端部が左側の背負いベルト４７の上部に固定され、右側端部が右側の背負いベルト４７の上部に固定されている。これにより、第２の調整部５１のコイルばねの伸縮に応じて左右の背負いベルト４７の間隔が変更可能とされている。
【００４８】
このような構成の第２の調整部５１を設けることによって、第２の調整部５１のコイルばねが収縮しようとする弾性力により、左右の背負いベルト４７の間隔が変更自在となるため、リュックサック４１の装着時における背負いベルト４７と使用者１２の肩との密着度を高めることができる。
なお、図６に示す変形例における第２の調整部の構成は、図６に示すリュックサック以外の背負い鞄、例えばランドセルにも適用可能である。
本発明について上記実施形態を参照しつつ説明したが、本発明は上記実施形態に限定されるものではなく、改良の目的又は本発明の思想の範囲内において改良又は変更が可能である。
【産業上の利用可能性】
【００４９】
以上のように、本発明は、ランドセル、リュックサックなど使用者の背中に背負われる背のう部本体を備え、背のう部本体を使用者の左右の肩部に背負わせるべく掛け回される背のう部本体に支持され、取付けられる背負いベルトを備える様々なタイプの背のうに応用することが可能となる。
【符号の説明】
【００５０】
１１    ランドセル（背のう（背負い鞄））
１２    使用者
１２ａ  背中
１２ｂ  胸
１３    背当て部
１４    収納部
１５    背のう部本体
１５ａ  底面
１６    蓋板
１７    背負いベルト
１７Ａ  上ベルト
１７Ｂ  下ベルト
１９    連結体
２０    連結環
２１    止着針
２２    止着孔
２３    引張帯
２４    尾錠
２４ａ  雄部
２４ｂ  雌部
３０    調整部
３１    固定板
３１ａ、３１ｂ  側面
３２    案内孔（案内経路）
３３    連結環
３４    軸部
３５    止め板
３６    ばね（弾性体）
４１    リュックサック（背のう（背負い鞄））
４３    背当て部
４４    収納部
４５    背のう部本体
４７    背負いベルト
４７Ａ  上ベルト
４７Ｂ  下ベルト
４７Ｃ  上端部
５０    調整部
５１    第２の調整部
【図１】
2019154917.tif 000003
【図２】
2019154917.tif 000004
【図３】
2019154917.tif 000005
【図４】
2019154917.tif 000006
【図５】
2019154917.tif 000007
【図６】
2019154917.tif 000008